(57)【要約】【課題】施工が容易で設置後に溝型係止レールに安定した支持強度を発揮させることができると共に、壁面から突出させることなく溝型係止レールを取り付けることのできる溝型係止レールの壁面取付構造を提供する。【解決手段】住宅建築物の屋内の壁面１１に配置されて、この壁面１１に支持させた状態で物品を取り付ける際に用いる溝型係止レール１３を壁面１１に設置するための壁面取付構造１０であって、溝型係止レール１３は、建物の躯体を構成する骨組部材１４に支持させて横方向に取り付けた受材１５に沿って固定されており、固定された溝型係止レール１３を挟んだ上下に壁面材１６が骨組部材１４に支持させて取り付けられていることにより、溝型係止レール１３は、係止溝１７が開口する前面部１３ａを壁面材１６の表面と面一又は略面一にした状態で、上下の壁面材１６の間に設置される。【選択図】図４
2009125397.tif 000002
【特許請求の範囲】
【請求項１】
建物の屋内の壁面に配置されて、該壁面に支持させた状態で物品を取り付ける際に用いる溝型係止レールを前記壁面に設置するための取付構造であって、
前記溝型係止レールは、建物の躯体を構成する骨組部材に支持させて横方向に取り付けた受材に沿って固定されており、固定された前記溝型係止レールを挟んだ上下に壁面材が前記骨組部材に支持させて取り付けられていることにより、前記溝型係止レールは、係止溝が開口する前面部を前記壁面材の表面と面一又は略面一にした状態で、上下の前記壁面材の間に設置されている溝型係止レールの壁面取付構造。
【請求項２】
前記溝型係止レール及び前記受材が、前記壁面に設けられたドア又は窓の上枠材の高さ位置に揃えて設けられている溝型係止レールの壁面取付構造。
【請求項３】
前記溝型係止レール及び前記受材が、上下方向に間隔をおいて平行に配置されて複数本設けられている請求項１又は２に記載の溝型係止レールの壁面取付構造。
【請求項４】
前記溝型係止レールは、表面側係止溝と奥部側係止溝とを含む少なくとも２段の溝構造を有しており、前記奥部側係止溝には、座金ナットがスライド移動可能に装着されている請求項１〜３のいずれかに記載の溝型係止レールの壁面取付構造。
【発明の詳細な説明】
【技術分野】
【０００１】
本発明は、溝型係止レールの壁面取付構造に関し、特に、建物の屋内の壁面に配置されて、壁面に支持させた状態で物品を取り付ける際に用いる溝型係止レールの壁面取付構造に関する。
【背景技術】
【０００２】
住宅建築物等の建物において、屋内の壁面に支持させた状態で装飾品や家具類等の各種の物品を取り付ける場合、ねじ等を固定するための下地を探すのが困難であったり、物品を支持させる部分の壁面に補強を施す必要を生じるなど、多くの手間を要することがある。また、壁面における取り付け箇所が下地のある部分等に制限されて、物品を取り付けるのに適した所望の位置に取り付けることできないことがある。
【０００３】
このようなことから、建物の屋内の壁面における所望の位置に、ピクチャーレールや、挿入溝部を有する取付具等を設置し、これらのピクチャーレールや取付具に支持させて、装飾品や家具類等の物品を壁面に取り付けるようにした技術が開示されている（例えば、特許文献１、特許文献２参照）。
【特許文献１】特開２００３−５２５０４号公報
【特許文献２】実用新案登録第３０７８６９２号公報
【発明の開示】
【発明が解決しようとする課題】
【０００４】
しかしながら、特許文献１に記載のピクチャーレールや、特許文献２に記載の取付具は、いずれも、建物の壁面が施工されてから、既設の壁面に対して後施工で設置されるものであり、安定した支持強度を発揮させるためには、回り縁やボード材等の他の取付部材と共に設置する必要を生じて、その構成及び取付作業が煩雑になる。また既設の壁面から突出した状態で配置されるので、使用されていない状態ではかえって邪魔になる場合があり、また屋内の美観に影響を与えることになる。
【０００５】
本発明は、施工が容易で設置後に溝型係止レールに安定した支持強度を発揮させることができると共に、壁面から突出させることなく溝型係止レールを取り付けることのできる溝型係止レールの壁面取付構造を提供することを目的とする。
【課題を解決するための手段】
【０００６】
本発明は、建物の屋内の壁面に配置されて、該壁面に支持させた状態で物品を取り付ける際に用いる溝型係止レールを前記壁面に設置するための取付構造であって、前記溝型係止レールは、建物の躯体を構成する骨組部材に支持させて横方向に取り付けた受材に沿って固定されており、固定された前記溝型係止レールを挟んだ上下に壁面材が前記骨組み部材に支持させて取り付けられていることにより、前記溝型係止レールは、係止溝が開口する前面部を前記壁面材の表面と面一又は略面一にした状態で、上下の前記壁面材の間に設置されている溝型係止レールの壁面取付構造を提供することにより、上記目的を達成したものである。
【０００７】
そして、本発明の溝型係止レールの壁面取付構造では、前記溝型係止レール及び前記受材が、前記壁面に設けられたドア又は窓の上枠材の高さ位置に揃えて設けられていることが好ましい。
【０００８】
また、本発明の溝型係止レールの壁面取付構造では、前記溝型係止レール及び前記受材が、上下方向に間隔をおいて平行に配置されて複数本設けられていることが好ましい。
【０００９】
さらに、本発明の溝型係止レールの壁面取付構造では、前記溝型係止レールは、表面側係止溝と奥部側係止溝とを含む少なくとも２段の溝構造を有しており、前記奥部側係止溝には、座金ナットがスライド移動可能に装着されていることが好ましい。
【発明の効果】
【００１０】
本発明の溝型係止レールの壁面取付構造によれば、施工が容易で設置後に溝型係止レールに安定した支持強度を発揮させることができると共に、壁面から突出させることなく溝型係止レールを取り付けることができる。
【発明を実施するための最良の形態】
【００１１】
図１に示す本発明の好ましい一実施形態に係る溝型係止レールの壁面取付構造１０は、図２に示すように、建物として例えば住宅建築物の屋内において、将来的に物品を固定したり壁掛けしたりするためのボルト、ねじ、フック等を取り付ける可能性のある壁面１１を選択して施工されることになる。また本実施形態の溝型係止レールの壁面取付構造１０は、装飾品や家具類等の物品（図示せず）を取り付けるのに適した高さ位置として、例えば壁面１１に設けられたドア１２の上枠材（図示せず）の高さ位置に揃えて、溝型係止レール１３を、水平方向に延設させて壁面１１から突出させることなく設けると共に、例えば壁掛けテレビ等の相当の重量を有する物品でも、安定して支持することが可能な状態で設置するために採用されたものである。
【００１２】
そして、本実施形態の溝型係止レール１３の壁面取付構造１０は、住宅建築物の屋内の壁面１１に配置されて、この壁面１１に支持させた状態で物品を取り付ける際に用いる溝型係止レール１３を壁面１１に設置するための取付構造であって、図３（ａ），（ｂ）及び図４（ａ）〜（ｃ）にも示すように、溝型係止レール１３は、建物の躯体を構成する骨組部材１４に支持させて横方向に取り付けた受材１５（図４（ａ），（ｂ）及び図５（ａ）〜（ｃ）参照）に沿って固定されており、固定された溝型係止レール１３を挟んだ上下に壁面材１６ａ，１６ｂが骨組部材１４に支持させて取り付けられていることにより、溝型係止レール１３は、係止溝１７が開口する前面部１３ａを壁面材１６ａ，１６ｂの表面と面一又は略面一にした状態で、上下の壁面材１６ａ，１６ｂの間に設置されている。
【００１３】
溝型係止レール１３は、図３（ａ），（ｂ）に示すように、例えば金属、合成樹脂等からなる棒状の長尺成形品であって、本実施形態では、好ましくはアルミニウム製の押出し成形品が用いられる。溝型係止レール１３は、例えば幅ｂが７〜４０ｍｍ程度、より好ましくは１２〜２０ｍｍ程度、厚さｔが７〜４０ｍｍ程度、より好ましくは８．５〜１５ｍｍ程度の大きさの略矩形の断面形状を備えており、壁面１１に沿って配置される側の前面部１３ａには、係止溝１７が、当該前面部１３ａの中央部分に沿って全長に亘って開口している。前面部１３ａの係止溝１７の開口を挟んだ両側の部分は、フランジ板１８によって各々形成されており、フランジ板１８の係止溝１７の開口とは反対側の部分は、側面部１３ｂよりも外側に僅かに突出していて、この突出部分１８ａは、溝型係止レール１３を挟んだ両側に壁面材１６の端部を接合する際の位置決めガイドとして機能するようになっっている。
【００１４】
溝型係止レール１３の内部に形成されてこれの前面部１３ａに開口する係止溝１７は、本実施形態では、溝型係止レール１３の両側の側面部１３ｂから各々内側に突出する線状リブ１９によって区画された、前面部１３ａ側の表面側係止溝１７ａと背面部１３ｃ側の奥部側係止溝１７ｂとを含む２段の溝構造を有している。また奥部側係止溝１７ｂのさらに背面部１３ｃ側には、段差凹部２０が形成されている。本実施形態では、奥部側係止溝１７ｂには、座金ナット２１がスライド移動可能に装着されている（図５（ｃ）参照）。この座金ナット２１には、例えば頭部に雌ネジ孔２２ａを備える固定ボルト２２を螺着固定することができるようになっている。また固定ボルト２２が螺着固定された際に、固定ボルト２２の先端の座金ナット２１よりも突出する部分は、段差凹部２０の内側に収められることになる。
【００１５】
さらに、本実施形態では、溝型係止レール１３の背面部１３ｃを貫通して、長手方向に所定の間隔をおいてねじ留め孔２３が複数開口形成されている（図５（ｃ）参照）。このねじ留め孔２３に、係止溝１７の開口から受材１５に向けて固定ねじ２４を留め付けることにより、溝型係止レール１３を受材１５に強固に固定することができるようになっている。なお、固定ねじ２４をねじ留めした際に、固定ねじ２４の頭部は、段差凹部２０の内側に収められることになる。
【００１６】
そして、本実施形態では、上述の構成を有する溝型係止レール１３は、図１に示すように、係止溝１７が開口する前面部１３ａを、壁面１１を構成する壁面材１６ａ，１６ｂの表面と面一又は略面一に配置して埋設した状態で、上下の壁面材１６ａ，１６ｂの間に容易に設置することができる。
【００１７】
すなわち、溝型係止レール１３を住宅建築物の屋内の壁面１１に取り付けるには、例えば図４（ａ）に示すように、骨組部材である木製の角材からなる両側の柱１４に両端を支持させて、木製の角材からなる受材１５を、例えば壁面１１に設けられたドア１２の上枠材（図示せず）の高さ位置に揃えて設置する。また、両側の柱１４及び受材１５に周縁部分を支持させて、溝型係止レール１３の厚さｔと略同様の厚さを有する例えば石膏ボードからなる下側壁面材１６ａを、固定ビス等を用いて取り付ける。
【００１８】
次に、下側壁面材１６ａの上端面に、溝型係止レール１３を重ねるようにして設置し、図４（ｂ）に示すように、受材１５及び両側の柱１４に固定ねじ２４を所定のピッチでねじ留めすることによって、溝型係止レール１３を、受材１５や両側の柱１４に直接固定する。
【００１９】
さらに、図４（ｃ）に示すように、取り付けた溝型係止レール１３の上端面となった一方の側面部１３ｃに、溝型係止レール１３の厚さｔと略同様の厚さを有する例えば石膏ボードからなる上側壁面材１６ｂを、これの下端面を重ねるようにして設置し、両側の柱１４及び受材１５に周縁部分を支持させた状態で、設置した上側壁面材１６ｂを固定ビス等を用いて固定する。
【００２０】
しかる後に、係止溝１７が開口する溝型係止レール１３の前面部１３ａが露出する状態を保持しつつ、上下の壁面材１６に壁仕上げを施す。これらによって、受材１５及び柱１４に直接固定された溝型係止レール１３を挟んで上下に壁面材１６ａ，１６ｂが取り付けられて、住宅建築物の屋内の壁面１１に溝型係止レール１３が配置された、本実施形態の溝型係止レールの壁面取付構造１０が簡易且つ容易に施工されることになる。
【００２１】
そして、このようにして形成された本実施形態の溝型係止レール１３の壁面取付構造１０では、溝型係止レール１３は、住宅建築物の躯体を構成する骨組部材である柱１４に支持された受材１５に沿って直接固定されているので、溝型係止レール１３に相当の荷重が負荷されても、負荷された荷重が直接躯体に伝わることになる。これによって、例えばボルト・ねじ等の固定具やフック等の吊下具を介して、相当の重量を有する棚や箱、壁掛けテレビ等の種々の物品を、装着や取り外しを容易にしつつ、安定して支持された状態で、溝型係止レール１３に沿った任意の位置に容易に取り付けることが可能になる。
【００２２】
また、溝型係止レール１３は、壁面１１から突出することなく、係止溝１７が開口する前面部１３ａを壁面１１と面一又は略面一にした状態で壁面１１に埋設されているので、使用されていない状態や使用されいる普段の生活でも邪魔になることはなく、またすっきりとした外観を呈することによって屋内の美観を損うことがない。
【００２３】
したがって、本実施形態の溝型係止レール１３の壁面取付構造１０によれば、施工が容易で設置後に溝型係止レール１３に安定した支持強度を発揮させることができると共に、壁面１１から突出させることなく溝型係止レール１３を容易に壁面１１に取り付けることが可能になる。
【００２４】
また、本実施形態によれば、溝型係止レール１３は、下側壁面材１６ａと上側壁面材１６ｂとの間の見切り材として機能させることも可能になる。さらに、本実施形態によれば、、溝型係止レール１３は、壁面１１に設けられたドア１２の上枠材の高さ位置に揃えて設置されているので、デザイン的な納まりも良好になる。
【００２５】
そして、本実施形態によれば、壁面取付構造１０によって壁面１１に設置された溝型係止レール１３を用いて、壁面１１に種々の物品を効率良く取り付けることが可能になる。例えば図５（ａ）〜（ｃ）に示すように、奥部側係止溝１７ｂに横方向にスライド移動可能に装着された座金ナット２１に、係止溝１７の開口から雌ネジ孔２２ａを備える固定ボルト２２を螺着固定し、この固定ボルト２２に物品側の取付金具を螺着して、各種の物品を、壁面１１に支持させた状態で容易且つ強固に取り付けることが可能になる。
【００２６】
また、図６（ａ）に示すように、例えば短軸が係止溝１７の開口幅よりも僅かに短く、長軸が表面側係止溝１７ａの幅よりも僅かに短い長円形状の２枚の板部からなる装着アダプタ２５を基端部に備えると共に、リング状のフック部を備えるアダプタ付きフック２６を使用し、係止溝１７の開口から表面側係止溝１７ａに装着アダプタ２５を半分入れた後に９０°回転させることで、装着アダプタ２５の２枚の板部によって溝型係止レール１３の前面部１３ａのフランジ板１８を挟み込むようにして、アダプタ付きフック２６を溝型係止レール１３に任意の位置に固定し、このアダプタ付きフック２６を介して、各種の物品を、壁面１１に支持させた状態で容易に取り付けることも可能になる。
【００２７】
ここで、アダプタ付きフック２６は、例えば図６（ｂ）に示すように、様々な物品の用途別に種々の形状のフック部を備えるものを用意しておき、用途に応じて適宜選択して用いることができる。
【００２８】
なお、本発明は上記実施形態に限定されることなく種々の変更が可能である。例えば、溝型係止レール及び受材は、壁面に設けられたドア又は窓の上枠材の高さ位置に揃えて設ける必要は必ずしもなく、その高さ位置を任意に設定して設けることもできる。例えば廻り縁、見切り縁、幅木等の高さ位置に設けることもできる。また、溝型係止レール１３は、図７（ａ），（ｂ）に示すように、上下方向に間隔をおいて平行に配置して壁面１１に複数本設けることもできる。さらに、溝型係止レールは、表面側係止溝と奥部側係止溝とを含む少なくとも２段の溝構造を有している必要は必ずしもなく、公知のものを含む種々の断面形状を備えていても良い。さらにまた、本発明によって壁面に設置された溝型係止レールは、例えば地震時における家具類等の転倒防止用の支持金物としても有効に利用することができる。
【図面の簡単な説明】
【００２９】
【図１】本発明の好ましい一実施形態に係る溝型係止レールの壁面取付構造を示す部分斜視図である。
【図２】溝型係止レールの好ましい取付け位置を例示する屋内の略示斜視図である。
【図３】（ａ）は溝型係止レールの斜視図、（ｂ）は断面図である。
【図４】（ａ）〜（ｃ）は、本実施形態に係る溝型係止レールの壁面取付構造を施工する際の工程を説明する部分斜視図である。
【図５】（ａ）〜（ｃ）は、溝型係止レールの一使用態様を説明する断面図である。
【図６】（ａ），（ｂ）は、溝型係止レールの他の使用態様を説明する断面図である。
【図７】（ａ），（ｂ）は、溝型係止レールの好ましい他の取付け位置を例示する屋内の略示斜視図である。
【符号の説明】
【００３０】
１０  溝型係止レールの壁面取付構造
１１  屋内の壁面
１２  ドア
１３  溝型係止レール
１３ａ  溝型係止レールの前面部
１３ｂ  溝型係止レールの側面部
１３ｃ  溝型係止レールの背面部
１４  柱（骨組部材）
１５  受材
１６  壁面材
１６ａ  下側壁面材
１６ｂ  上側壁面材
１７  係止溝
１７ａ  表面側係止溝
１７ｂ  奥部側係止溝
２０  段差凹部
２１  座金ナット
２２  固定ボルト
２３  ねじ留め孔
２４  固定ねじ
２５  装着アダプタ
２６  アダプタ付きフック
【図１】
2009125397.tif 000003
【図２】
2009125397.tif 000004
【図３】
2009125397.tif 000005
【図４】
2009125397.tif 000006
【図５】
2009125397.tif 000007
【図６】
2009125397.tif 000008
【図７】
2009125397.tif 000009